(57)【要約】 【課題】  河川等の水路内または水路に連なる排水口等に設置して、流れてくる比較的大きなゴミを除去するためのゴミ除去ゲートの無提供を図る。【解決手段】  両側縁を先細り状テーパ―縁2aとすると共に全体を後方(水の流れ方向)に傾斜させた状態で立ち上がらせて成るゴミ除去用ゲート片２の上端にゴミ掬い取り用水平片部３を連設して成るゲート単体１を、水路の横幅方向に等間隔で列設するように構成した水路のゴミ除去ゲート。【選択図】  図１
2016108786.tif 000002
【特許請求の範囲】
【請求項１】
水路の流れを、底面側から水面側に近づくにつれて次第にその速さが増加されるような形態の流れとするような作用を奏させるために、両側縁を先細り状テーパ―縁とすると共に全体を後方(水の流れ方向)に傾斜させた状態で立ち上がらせて成るゴミ除去用ゲート片の上端にゴミ掬い取り用水平片部を連設して成るゲート単体を、水路の横幅方向に等間隔で列設するように構成した水路のゴミ除去ゲート。
【請求項２】
ゴミ除去用ゲート片の正面に階段状の段部を形成して成る請求項１に記載の水路のゴミ除去ゲート。
【発明の詳細な説明】
【技術分野】
【０００１】
本発明は、河川等の水路内または水路に連なる排水口等に設置して、流れてくる比較的大きなゴミを除去するためのゴミ除去ゲートに関する。
【背景技術】
【０００２】
従来、河川、灌漑水路、若しくは引き込み水路等の出口または入口等に設置して、ゴミの流れ込みの阻止及び除去を行うための装置としては、基本的には、檻状に並行立設する鉄パイプによるゲート状のものが、古くから用いられている。  然し乍、このような形態であると、大きなゴミは鉄パイプ間に挟まれて、水路を塞いでしまうと言うような欠点を有するものである。  そして、その除去には結構な手間を要するものである。
【０００３】
このような問題を解決する手段として、ゴミの除去手段としては、濾材を用いるように構成したもの（例えば、特許文献１参照。）、そして、付着ゴミを除去する手段としては、回転ブラシを用いるようにしたもの（例えば、特許文献１参照。）が存在する。
【先行技術文献】
【特許文献】
【０００４】
【特許文献１】特開平１０１０２４６４号公報
【特許文献２】特開２００８−２９１５５５号公報
【発明の概要】
【発明が解決しようとする課題】
【０００５】
ごみの除去手段として濾材を用いるように構成したものにあっては、濾材自体を取り替えたり、或いは洗浄したりするような管理上の多大なコストが伴うものである。  そして、付着ゴミを回転ブラシを用いて除去するようにしたものにあっては、可動部部材に対する定期的保守管理を必要とするため、これに要する管理コストも馬鹿にならないものである。
【０００６】
本発明は、水流の流動圧力に基づきゴミを押し上げて無動力的にその除去の容易化が図られると言う新規の「水路のゴミ除去ゲート」の提供を図り、以て上記のような従来の問題の解消化を図ったものである。
【課題を解決するための手段】
【０００７】
本発明は請求項１に記載のように、水路の流れを、底面側から水面側に近づくにつれて次第にその速さが増加されるような形態の流れとするような作用を奏させるために、両側縁を先細り状テーパ―縁2aとすると共に全体を後方(水の流れ方向)に傾斜させた状態で立ち上がらせて成るゴミ除去用ゲート片２の上端にゴミ掬い取り用水平片部３を連設して成るゲート単体１を、水路の横幅方向に等間隔で列設するように構成した水路のゴミ除去ゲートに係る。
【０００８】
本発明は請求項２に記載のように、ゴミ除去用ゲート片の正面に階段状の段部を形成して成る請求項１に記載の水路のゴミ除去ゲートを実施の態様とする。
【発明の効果】
【０００９】
本発明は請求項１に記載のような構成、すなわち、水路の流れを、底面側から水面側に近づくにつれて次第にその速さが増加されるような形態の流れとするような作用を奏させるために、両側縁を先細り状テーパ―縁2aとすると共に全体を後方(水の流れ方向)に傾斜させた状態で立ち上がらせて成るゴミ除去用ゲート片２の上端にゴミ掬い取り用水平片部３を連設して成るゲート単体１を、水路の横幅方向に等間隔で列設するように構成したから、水路の流れは、底面側から水面側に近づくにつれて次第にその速さが増加されるような形態とされる。
【００１０】
従って、水路を流れる小さなゴミはゲート単体１の列設間隙から流されるが、大きなサイズのゴミにあっては、ゲート単体１の列設部分で阻止される。  そして、阻止された当該ゴミは、上記した水流の速さの相違に基づき、ゴミ除去用ゲート片２の上方に押し上げられると共に、ゴミ掬い取り用水平片部３上に移動集結させられることとなる。  従って、これを単に掬い取ることにより、ゴミ除去目的が達成される。
【００１１】
なお、小さなゴミはゲート単体１の列設間隙から流されてしまい、大きなゴミだけが上記のような掬い取り除去がなされるため、ゲート単体１の列設間隔の選定に基づき、除去ゴミのサイズの設定目的も達成される。  そして、本発明に係るゴミ除去ゲートによるゴミ除去の実行は無動力的に行われるため、その管理コストの廉価性が図られる。
【００１２】
本発明は請求項２に記載のような構成、すなわち、ゴミ除去用ゲート片の正面に階段状の段部を形成して成る請求項１に記載の水路のゴミ除去ゲートを実施の態様とするものであり、このような構成の採用に基づき、請求項１において記載したのと同様な作用効果を奏すると共に、階段状の段部の存在に基づき押し上げられたゴミが、自重に基づきズレ落ちてしまうような事態発生を防止することとなる。  従って、ゴミの除去作業が著しく安定化される。  
【図面の簡単な説明】
【００１３】
【図１】本発明に係るゴミ除去ゲートの正面図である。
【図２】本発明の係るゴミ除去ゲートの側面図である。
【図３】本発明の要旨部材とするゲート単体を表した斜視図である。
【図４】図３におけるX―X線断面図である。
【図５】本発明に係るゴミ除去ゲートの第２の実施例を表した正面図である。
【図６】本発明の係るゴミ除去ゲートの第２の実施例を表した側面図である。
【発明を実施するための形態】
【００１４】
図１乃至図４は本発明の第１の実施例を表したものである。  同図において、Aは水路であって、本発明は当該水路Aの幅方向全長に亘って構築するものである。
【００１５】
Bは水路の幅方向に等しい間隔で所要数列設したゴミ除去用ゲートであって、所要本数のゲート単体１を横方向に等間隔で列設することに依り構成してある。  そして、当該ゴミ除去用ゲートBの存在目的は、水路Aの水流の形態を、底面側から水面側に近づくにつれて、次第にその速さが増されるような形態の流れとするための作用を奏させるためのものである。
【００１６】
そのために、当該ゲート単体１は図面に示すように、下端側から上端に至るにつれてその幅が狭まるような形態、すなわち、両側縁を先細り状テーパ―縁2aとするような形態を具えたゴミ除去用ゲート片２から成るものである。  これにより、図２に矢印で示す方向に流れる水流において、ゴミ除去用ゲート片２に至る部分の水流は、その水路底部寄りにあっては、ゲート単体１の幅広部分当たる堰き止め的抵抗に基づき水流が弱められる  そして、水面に近づくにつれて、当該ゲート単体２の幅狭化に基づき、水流に対する堰き止め的抵抗性が減少し、次第に水流本来の強の流れに戻されることとなる。  換言すると、ゴミ除去用ゲート片２の作用に基づき、水路Aの水流の形態を、水路の底面側から水面側に近づくにつれて、次第にその速さが増されるような形態の流れとするための作用を奏させることとなる。
【００１７】
また、前記したゴミ除去用ゲート片２は、後方(水の流れ方向)に傾斜させた状態で立ち上がらせるように形成すると共に、その上端には、ゴミ掬い取り用水平片部３が連設されている。  ３aは当該水平片部３の端部に立設したゴミ止め用立ち上がり片である。  なお、ゴミ除去用ゲート片２の傾斜角度であるが、これは後述する作用で水流によるゴミの押上げがスムーズに行われるようにするための角度であり、従って、予想されるゴミの大きさと水流の強さに即応させて任意に設定するものとする。
【００１８】
４は上記したゲート単体１と水平片部３の裏面側縦中心線に沿ってその全高に亘って固設した補強用裏当片であって、水流に対する補強目的を達成するためのものである。  これはゲート単体１と水平片部３を含めてその全体を一体的に形成するか、或いは別体のものを裏打ち的に形成するように構成しても良い。  更に、ゲート単体１自体が水流に充分堪え得る程度の強靭性を具えたものであれば、当該補強用裏当片４は省略しても良い。
【００１９】
上述したような形態を具えた本発明に係るゴミ除去ゲートにあっては、水流は各ゲート単体１の間を流れることとなる。  そして、流れてきたゴミは、各ゲート単体１のゴミ除去用ゲート片２に依って受け止められるが、当該ゴミ除去用ゲート片２は水流方向に傾斜されたものであり、かつ既述したように水流は底面側から水面側に至るにつれて水速が増すような作用が奏されているため、受け止められたゴミはゴミ除去用ゲート片２に沿って、次第に押し上げられて、ゴミ掬い取り用水平片部３上に押し上げられることとなる。  この時、掬い取る必要のない小さなゴミは、ゴミ除去用ゲート片２の間から流されることとなる。  そして水流は、両側縁を先細り状テーパ―縁2aとするような形態を具えたゴミ除去用ゲート片２の存在に基づき水面に近づくにつれて、当該ゲート片２により仕切られた間隔が広まるため、小さなゴミから次第に流され、除去を必要とする大きなゴミ、例えば木の枝、大きな浮遊物、シート状片等に対する選別的除去が可能化される。  換言すると、各ゴミ除去用ゲート片２によって形成される水路幅を適宜に設定することに依り、除去対象とするゴミの大きさの設定が成されることとなる。
【００２０】
図５及び図６は本発明の第２の実施例を表したものである。  これは前述した第１実施例の場合におけるゴミ除去用ゲート片２の正面に、階段状の段部Tを形成するようにしたものである。  これにより、既述したような作用で上方に押し上げられるゴミが、自重に基づきズレ落ちることが阻止されることとなる。  本発明はこのような形態で実施する場合もある。
【符号の説明】
【００２１】
A  水路
B  ゴミ除去用ゲート
１  ゲート単体
２  ゴミ除去用ゲート片
2a  テーパ―縁
３  ゴミ掬い取り用水平片部
４  補強用裏当片
T  段部
【図１】
2016108786.tif 000003
【図２】
2016108786.tif 000004
【図３】
2016108786.tif 000005
【図４】
2016108786.tif 000006
【図５】
2016108786.tif 000007
【図６】
2016108786.tif 000008